(57)【要約】【課題】ゴルフクラブセットにおいて番手が大きくなるほど繊維強化樹脂製のシャフトの質量を大きくする場合であっても、ゴルフクラブの使用感を大きく変化させないゴルフクラブセット及びその製造方法を提供する。【解決手段】シャフト２を繊維強化樹脂の筒状本体と、この筒状本体の内側に設けた質量調整材５とから構成し、繊維強化樹脂をシャフト２毎に共通の材料で構成する一方、質量調整材５は番手の大きいシャフトほど順次質量を大きくする。【選択図】図１
2009207616.tif 000002
【特許請求の範囲】
【請求項１】
繊維強化樹脂からなる複数本のシャフトを番手が大きいシャフトほど順次長さを短くすると共に、順次質量を大きくしたゴルフクラブセットにおいて、
前記シャフトを繊維強化樹脂の筒状本体と、この筒状本体の内側に設けた質量調整材とから構成し、前記繊維強化樹脂をシャフト毎に共通の材料で構成する一方、前記質量調整材は番手の大きいシャフトほど順次質量を大きくしたゴルフクラブセット。
【請求項２】
前記繊維強化樹脂の補強繊維をブレード構成にした請求項１に記載のゴルフクラブセット。
【請求項３】
前記質量調整材のシャフト軸方向の長さを、番手の大きいシャフトほど順次大きくした請求項１又は２に記載のゴルフクラブセット。
【請求項４】
前記質量調整材の厚さを、番手の大きいシャフトほど順次大きくした請求項１又は２に記載のゴルフクラブセット。
【請求項５】
前記質量調整材を、前記繊維強化樹脂よりも剛性の低い材料にした請求項１〜４のいずれかに記載のゴルフクラブセット。
【請求項６】
前記繊維強化樹脂の補強繊維が、炭素繊維、芳香族ポリアミド繊維、ガラス繊維、ボロン繊維及び金属繊維から選ばれる少なくとも１つである請求項１〜５のいずれかに記載のゴルフクラブヘット。
【請求項７】
繊維強化樹脂からなる複数本のシャフトを、番手が大きいシャフトほど長さを順次短くすると共に、質量を順次大きくするように成形するゴルフクラブセットの製造方法において、
各シャフトを成形するマンドレル毎に、その外周に質量調整材を番手の大きいシャフト用のマンドレルほど質量を順次大きくするように一体に被覆し、該質量調整材が被覆されたマンドレルの外側に補強繊維のプリプレグを巻き付けて繊維強化樹脂からなる筒状本体を成形し、該筒状本体を加熱硬化したのち前記マンドレルを抜き取って、該筒状本体の内側に前記質量調整材が一体化したシャフトを得るゴルフクラブセットの製造方法。
【請求項８】
前記補強繊維のプリプレグを前記質量調整材が被覆されたマンドレルにブレーディング法で巻き付ける請求項７に記載のゴルフクラブセットの製造方法。
【発明の詳細な説明】
【技術分野】
【０００１】
本発明はゴルフクラブセット及びその製造方法に関し、更に詳しくは、繊維強化樹脂製のシャフトを、番手が大きくなるほど質量を大きくしたゴルフクラブセットにおいて、各番手のゴルフクラブの使用感を大きく変化させないようにしたゴルフクラブセット及びその製造方法に関する。
【背景技術】
【０００２】
一般に、複数本のゴルフクラブから構成されているアイアンゴルフクラブセットでは、番手が小さいゴルフクラブは飛距離を重視してシャフト長さを長くし、また番手が大きくなるほど打球方向と飛距離の安定性を重視して順次シャフト長さを短くするような設計が行われている。このようなゴルフクラブセットの設計を行う場合において、特許文献１は、番手が大きいゴルフクラブほどシャフト重量を順次大きくすることにより、番手が小さいゴルフクラブでは振りやすくして飛距離を一層伸ばすようにし、番手が大きいゴルフクラブでは打球方向と飛距離の安定性を一層向上させることを提案している。
【０００３】
一方、ゴルフクラブセットを繊維強化樹脂で構成する場合には、生産コスト上の理由から、長さが同じ一種類のシャフトを多数生産しておき、これらシャフトの先端部（チップ部）を番手が大きいシャフトほど長く切り落とすことにより、長さの順次異なるセットを構成する、いわゆる「先端カット方式」が採用されている。しかし、このような生産方式によると、番手が大きいシャフトほど質量が小さくなるため、上述のように番手毎の要求特性を最大限に活かしたゴルフクラブセットにすることはできなくなる。
【０００４】
このことを可能にするためには、番手が大きくなるほど繊維強化樹脂の使用量を多くすることにより、質量を増加させるようにしなければならなくなる。しかしながら、繊維強化樹脂の使用量を多くするほど、シャフトは曲げ剛性や捩り剛性が大きくなるため、全番手において同じ使用感（フィーリング）でゴルフクラブを使用することは不可能になるという問題が生じる。特に、番手が大きいゴルフクラブほどその影響が大きくなる。
【特許文献１】特開２００２−３０６６４４号公報
【発明の開示】
【発明が解決しようとする課題】
【０００５】
本発明の目的は、ゴルフクラブセットにおいて番手が大きくなるほど繊維強化樹脂製のシャフトの質量を大きくする場合であっても、ゴルフクラブの使用感を大きく変化させないゴルフクラブセット及びその製造方法を提供することにある。
【課題を解決するための手段】
【０００６】
上記の目的を達成する本発明のゴルフクラブセットは、繊維強化樹脂からなる複数本のシャフトを番手が大きいシャフトほど順次長さを短くすると共に、順次質量を大きくしたゴルフクラブセットにおいて、前記シャフトを繊維強化樹脂の筒状本体と、この筒状本体の内側に設けた質量調整材とから構成し、前記繊維強化樹脂をシャフト毎に共通の材料で構成する一方、前記質量調整材は番手の大きいシャフトほど順次質量を大きくしたことを特徴とするものである。
【０００７】
繊維強化樹脂の補強繊維はブレード構成にするのがよい。
【０００８】
質量調整材のシャフト軸方向の長さを、番手の大きいシャフトほど順次大きくするか、又は質量調整材の厚さを、番手の大きいシャフトほど順次大きくすることが望ましい。
【０００９】
質量調整材は、繊維強化樹脂よりも剛性の低い材料とすることが望ましい。また、繊維強化樹脂の補強繊維は、炭素繊維、芳香族ポリアミド繊維、ガラス繊維、ボロン繊維及び金属繊維から選ばれる少なくとも１つであることが望ましい。
【００１０】
上記の目的を達成する本発明のゴルフクラブセットの製造方法は、繊維強化樹脂からなる複数本のシャフトを、番手が大きいシャフトほど長さを順次短くすると共に、質量を順次大きくするように成形するゴルフクラブセットの製造方法において、各シャフトを成形するマンドレル毎に、その外周に質量調整材を番手の大きいシャフト用のマンドレルほど質量を順次大きくするように一体に被覆し、該質量調整材が被覆されたマンドレルの外側に補強繊維のプリプレグを巻き付けて繊維強化樹脂からなる筒状本体を成形し、該筒状本体を加熱硬化したのち前記マンドレルを抜き取って、該筒状本体の内側に前記質量調整材が一体化したシャフトを得ることを特徴とするものである。
【００１１】
補強繊維のプリプレグは、質量調整材が被覆されたマンドレルにブレーディング法で巻き付けるのがよい。
【発明の効果】
【００１２】
本発明のゴルフクラブセットによれば、シャフトを繊維強化樹脂の筒状本体と、この筒状本体の内側に設けた質量調整材とから構成するようにし、筒状本体を構成する繊維強化樹脂についてはシャフト毎に共通の材料で構成するため、全番手について使用感を同じに揃えることができ、また質量調整材については番手の大きいシャフトほど順次質量を大きくするようにしたので、番手が大きくなるほど質量を大きくするゴルフクラブセットがもたらす番手毎の要求特性を最大限に活かしたゴルフクラブセットにすることができる。
【００１３】
また、本発明のゴルフクラブセットの製造方法によれば、上記特性を有するゴルフクラブセットを容易に製造することができる。
【発明を実施するための最良の形態】
【００１４】
以下に、本発明の実施の形態について、図面を参照して説明する。
【００１５】
図１は、本発明の実施形態からなるゴルフクラブセットの例を示す。
【００１６】
このゴルフクラブセット１は、３番アイアン（Ａ３）から９番アイアン（Ａ９）と、ピッチングウェッジ（ＰＷ）、サンドウェッジ（ＳＷ）の９本のゴルフクラブから構成されている。各ゴルフクラブは、シャフト２のバット側端部にグリップ３を、チップ側端部にヘッド４を、それぞれ取り付けた構成となっている。シャフト２は、本体が繊維強化樹脂の筒状体からなり、その筒状体の内側に質量調整材５が内挿されるようにして構成されている。繊維強化樹脂の補強繊維には、炭素繊維、芳香族ポリアミド繊維、ガラス繊維、ボロン繊維若しくは金属繊維、又はそれらを組み合わせた複合繊維が好ましく用いられる。
【００１７】
これらのゴルフクラブは、番手が大きくなるにつれて、ヘッド４のロフト角θが大きくなり、かつシャフト２の長さが順次短くなるように設定されている。シャフト２の短尺化は、各ゴルフクラブのグリップ３が同じ太さとなり、かつチップ側端部に向かうほど同じテーパで細くなるように、チップ側を順次短くすることで行う。
【００１８】
なお、番手とは、ゴルフクラブをロフト角θの大きさの順に並べるために、各ゴルフクラブに付した数字や文字などからなる識別情報であり、本実施形態では３番アイアンからサンドウェッジまでＡ３〜ＳＷの符号を付している。
【００１９】
このようなゴルフクラブセット１において、ゴルフクラブの番手が大きくなるにつれてシャフト２の質量が大きくなるように構成されている。具体的には、シャフト２の内側に設けた質量調整材５を、番手の大きいシャフト２ほど軸方向の長さを順次長くすることにより、シャフト２の質量を順次大きくするようにしている。このシャフト２の質量増加は、質量調整材５の軸方向の長さは変えないで、番手が大きくなるほど肉厚を順次厚くすることにより行ってもよい。あるいは、軸方向の長さと厚さの両方を変化させながら、番手が大きくなるほど質量を増加させるようにしてもよい。また、質量調整材５は軸方向に連続している必要はなく、例えば図２のように軸方向に複数に分離して設けてもよいが、その際にはシャフト２の重心位置をシャフト２間で同一にする必要がある。
【００２０】
この質量調整材５の材料としては、成形しやすい樹脂が好ましく、かつ繊維強化樹脂製のシャフト２の剛性分布に影響を与えることがないように、シャフト２を構成する繊維強化樹脂よりも剛性の低い材料がよい。例えば、ＡＢＳやポリプレンなどの樹脂、又はアルミ、アルミ合金やマグネシウム合金などの金属などを挙げることができる。なお、シャフト２を構成する繊維強化樹脂と同じ材料を用いて、巻付け角度（配向角）をシャフト２と変えることにより低剛性にすることもできる。
【００２１】
このようなシャフト２の製造方法を、図３に基づいて説明する。
【００２２】
まず、図３（ａ）に示すようなテーパー状の金属製マンドレル６を用意し、表面に離型材を塗布してから、図３（ｂ）のように、所定の量の質量調整材５を被覆する。次に、図３（ｃ）のように、マンドレル６及び質量調整材５の上から糸状のプリプレグ７を巻き付ける。シャフト２の長さを決めるプリプレグ７の巻き付け高さＨは、巻き付けの終点Ｅが常に同じ位置になるように巻き付けの始点Ｓを変えることにより調整する。このプリプレグ７としては、上述した補強繊維に、エポキシ樹脂、不飽和ポリエステル樹脂などの未硬化の熱硬化樹脂を含浸したものが好ましく使用される。プリプレグ７の巻き付け方法は、繊維強化樹脂量の軸方向分布を一定にする上から、図４に示すように、２本の糸状プリプレグ７ａ、７ｂをマンドレル６に軸方向を向けて交互に網目状に巻き付けるブレーディング法を用いることが望ましい。最後に、図３（ｄ）のように、プリプレグ７が硬化した筒状体からマンドレル６を引き抜くとシャフト２が得られる。
【００２３】
このように、シャフト２を繊維強化樹脂の筒状本体と、この筒状本体の内側に設けた質量調整材５とから構成するようにし、筒状本体を構成する繊維強化樹脂についてはシャフト毎に共通の材料で構成するため、全番手について使用感を同じに揃えることができ、また質量調整材５については番手の大きいシャフト２ほど順次質量を大きくするようにしたので、番手が大きくなるほど質量を大きくするゴルフクラブセットがもたらす番手毎の要求特性を最大限に活かしたゴルフクラブセットにすることができる。
【００２４】
また、所定の長さのシャフト２を製造することで、短尺化のためにシャフト２を切断する必要がなくなるため、廃棄物量を減らして対環境性を向上することができる。
【００２５】
上記の実施形態においては、アイアンゴルフクラブからなるゴルフクラブセットを例としたが、ウッドゴルフクラブからなるゴルフクラブセットや、アイアンゴルフクラブとウッドゴルフクラブの両者を組み合わせたゴルフクラブセットなどでもよいことは勿論である。
【図面の簡単な説明】
【００２６】
【図１】本発明の実施形態からなるゴルフクラブセットの例を示す一部断面図である。
【図２】ゴルフクラブの他の例を示す一部断面図である。
【図３】ゴルフクラブシャフトの製造工程の説明図である。
【図４】ブレーディング法の説明図である。
【符号の説明】
【００２７】
１  ゴルフクラブセット
２  シャフト
３  グリップ
４  ヘッド
５  質量調整材
６  マンドレル
７  プリプレグ
【図１】
2009207616.tif 000003
【図２】
2009207616.tif 000004
【図３】
2009207616.tif 000005
【図４】
2009207616.tif 000006